(57)【特許請求の範囲】
【請求項１】
短小の基筒１から案内縦長孔３を有する案内起立筒２を突設し、該案内起立筒２の外側に、内周面に螺旋溝５を形成した回転筒４を回転自在に嵌合保持させ、また、その案内起立筒２の内側に、棒状化粧品Ａを起立させる中皿６を摺動自在に嵌合させ、該中皿の下面の前後から一対の支持片16を垂設し、これら両支持片の左右両縁から、巾方向中間部を左右外方への突端として屈曲させた左右一対の板ばね７を突設させて、両支持片16から両板ばね７に亘る横断面形状をほぼ十字状とし、かつ上記各板ばね７の突端に突子８を突設して、該突子を前記案内縦長孔３に摺動自在に貫通させて前記螺旋溝５へ摺動自在に挿入させるとともに、上記板ばね７の弾力で螺旋溝５の内面へ圧接させたことを特徴とする棒状化粧品繰出し容器。
【請求項２】
上記突子８は球面状の先端面９を有することを特徴とする、請求項１記載の棒状化粧品繰出し容器。
【発明の詳細な説明】
【０００１】
【産業上の利用分野】
本発明は、中皿の径を拡張させた棒状化粧品繰出し容器に関する。
【０００２】
【従来の技術】
従来のこの種の容器に、実開平3‐123423号公報のものがある。この棒状化粧品繰出し容器は、案内縦長孔を有する案内筒の外側に、内周面に螺旋溝を形成した回転筒を回転自在に嵌合させるとともに、その案内筒の内側に、棒状化粧品を起立させる中皿を摺動自在に嵌合させ、該中皿の外面の適所から突子を突設し、かつ、該突子を前記案内縦長孔に摺動自在に貫通させて前記螺旋溝に摺動自在に挿入させることにより、回転筒の左右の回転で中皿を昇降させる螺旋昇降手段を構成しており、そして、案内筒の基端部に、上縁から複数の圧接片を突設した板ばね製のリングを嵌着し、各圧接片を回転筒の端部へ摺動自在に圧接させて、回転筒の回転に摩擦抵抗による一定の制動力を与え、回転筒の不安定な自由動を制限している。
【０００３】
【発明が解決しようとする課題】
しかし、そのような構造では、回転筒の回転を適度に制動できても肝心の棒状化粧品が中皿の不安定性から使用中に移動又はガタツキを生ずることがあり、また、構造が複雑なものとなって、コスト高を招く。
そこで、請求項１及び請求項２の発明は、それらの問題点を解決しようとするものである。
【０００４】
【課題を解決するための手段】
上記目的達成のため、請求項１の発明は、短小の基筒１から案内縦長孔３を有する案内起立筒２を突設し、該案内起立筒２の外側に、内周面に螺旋溝５を形成した回転筒４を回転自在に嵌合保持させ、また、その案内起立筒２の内側に、棒状化粧品Ａを起立させる中皿６を摺動自在に嵌合させ、該中皿の下面の前後から一対の支持片16を垂設し、これら両支持片の左右両縁から、巾方向中間部を左右外方への突端として屈曲させた左右一対の板ばね７を突設させて、両支持片16から両板ばね７に亘る横断面形状をほぼ十字状とし、かつ上記各板ばね７の突端に突子８を突設して、該突子を前記案内縦長孔３に摺動自在に貫通させて前記螺旋溝５へ摺動自在に挿入させるとともに、上記板ばね７の弾力で螺旋溝５の内面へ圧接させたことを特徴とする。
【０００５】
請求項２の発明は、上記請求項１の発明の構成を有し、かつ上記突子８は球面状の先端面９を有することを特徴とする。
【０００６】
【作用】
如上の構成であるから、いずれの発明にあっても、基筒１に対し回転筒４を右又は左に回転させれば、中皿６の突子８が案内起立筒２の案内縦長孔３に案内されつつ回転筒４の螺旋溝５内を昇降摺動し、その中皿６の上端から起立させた棒状化粧品Ａが回転筒４から突出し又は回転筒４内に没入する。
また、その際、板ばね７の弾力で螺旋溝５の内面へ圧接されている突子８は、その昇降摺動に摩擦抵抗による適度な制動力を生じさせ、中皿６ひいては該中皿から起立する棒状化粧品Ａの無用な移動やガタツキを無くする。
【０００７】
【実施例】
図面は、請求項１及び請求項２の発明に係る棒状化粧品繰出し容器の実施例を示している。
図において、１は、短小の基筒、２は、該基筒の上端から突設した案内起立筒、４は、該案内起立筒２の外側に回転自在に嵌合させた回転筒、６は、その案内起立筒２の内側に摺動自在に嵌合させた中皿であり、これらは、その回転筒４の右又は左の回転で中皿６を昇降摺動させる螺旋昇降手段を構成している。
基筒１は、下端に内向きフランジ10を有し、上端外縁に凹段部11を周設している。
案内起立筒２は、基筒１の上端内縁から薄い肉厚で一体に起立させ、該案内起立筒には、左右一対の案内縦長孔３を穿設し、上端外縁に回転筒抜け止め用の係止突条12を周設している。ただし、一方の案内縦長孔３は、上端を開放させて組み立ての便を図っている。
回転筒４は、合成樹脂製胴筒13の外周に、上下にやや長い金属製化粧筒14を嵌合一体化させ、その合成樹脂製胴筒13には、内周面に左右一対の螺旋溝５を設けて、該内周にて案内起立筒２の外側に回転自在に嵌合させ、上端を案内起立筒２の係止突条12に係合させて抜け止めし、また、突出するその金属製化粧筒14の下端を基筒１の凹段部11の上に挿入させ、かつ、上端を案内起立筒２の上に被せている。
中皿６は、内向きフランジによる孔開き底壁15を有し、該孔開き底壁の下面の前後から一対の支持片16を垂設し、両支持片から平面形状凸字状に屈曲させた左右一対の板ばね７をそれぞれ突端を両側へ向けて突設させて、換言すれば上記支持片の左右両縁から、巾方向中間部を左右外方への突端として屈曲させた左右一対の板ばね７を突設させて、両支持片16から両板ばね７に亘る横断面形状をほぼ十字形とし、かつ各板ばね７の突端にそれぞれ先端面９が球面状をなす突子８を突設し、各突子をそれぞれ前記案内縦長孔３に摺動自在に貫通させて前記螺旋溝５へ摺動自在に挿入させるとともに、各球面状先端面９をそれぞれ上記板ばね７の弾力で螺旋溝５の溝底面へ圧接させている。
而して、中皿６から棒状化粧品Ａを起立させ、回転筒４を右又は左に回転させることにより、中皿６の突子８を案内起立筒２の案内縦長孔３に案内させつつ回転筒４の螺旋溝５に昇降摺動させて、中皿６を案内起立筒２にて昇降動させ、棒状化粧品Ａを回転筒４から突出させ又は回転筒４内に没入させるが、その際、板ばね７の弾力で螺旋溝５の溝底面へ圧接されている突子８は、その昇降摺動に摩擦抵抗による適度な制動力を生じさせ、中皿６及び棒状化粧品Ａの無用な移動やガタツキを無くする。
【０００８】
【発明の効果】
請求項１及び請求項２の発明によれば、回転筒４の左右の回転で中皿６を昇降させる螺旋昇降手段を構成した棒状化粧品繰出し容器において、上記中皿の下面の前後から一対の支持片16を垂設し、これら両支持片の左右両縁から、巾方向中間部を左右外方への突端として屈曲させた左右一対の板ばね７を突設させて、両支持片16から両板ばね７に亘る横断面形状をほぼ十字状とし、かつ上記各板ばね７の突端に突子８を突設したから、又該突子を前記案内縦長孔３に摺動自在に貫通させて前記螺旋溝５へ摺動自在に挿入させるとともに、上記板ばね７の弾力で螺旋溝５の内面へ圧接させているので、突子８の昇降摺動に摩擦抵抗による適度な制動力を生じさせることができ、中皿６の安定性を確保できて、使用中に中皿６及び該中皿から起立させた棒状化粧品Ａに不意の移動やガタツキが生ぜず、使い易いものとすることができて、使用上頗る好都合である。しかも、その構造は、突子８に板ばね７を付す簡潔なもので済むから、低コストで製造でき、安価に提供できる。
【０００９】
これに加えて、請求項２の発明によれば、上記板ばね７の突端に設けた突子の先端面９を球面状にて、該球面状先端面９をその板ばね７の弾力で螺旋溝５の溝底面へ圧接させているので、その板ばね７には腰のある強力な弾力を確保でき、突子８に所要の適切な摩擦抵抗を適確に得ることができて、中皿６及び棒状化粧品Ａの不意の移動やガタツキを皆無にでき、しかも、螺動昇降の際には支障の無い適切な摺動を確保できる。
【図面の簡単な説明】
【図１】  請求項１及び請求項２の発明に係る棒状化粧品繰出し容器の実施例を示す中皿下降限における截断正面図である。
【図２】  同例の中皿上昇限における截断正面図である。
【図３】  図１の要部を拡大して示す断面図である。
【図４】  同例の分解斜視図である。
【図５】  同例の所要部材の倒立斜視図である。
【図６】  同部材の底面図である。
【符号の説明】
１…基筒                        ２…案内起立筒
３…案内縦長孔                  ４…回転筒
５…螺旋溝                      ６…中皿
７…板ばね                      ８…突子
９…先端面                      10…内向きフランジ
11…凹段部                      12…係止突条
13…合成樹脂製胴筒              14…金属製化粧筒
15…孔開き底壁                  Ａ…棒状化粧品
【図１】
0003670048.tif 000002
【図２】
0003670048.tif 000003
【図３】
0003670048.tif 000004
【図４】
0003670048.tif 000005
【図５】
0003670048.tif 000006
【図６】
0003670048.tif 000007